(57)【要約】【課題】静止画のみならず、動画も表示でき、マルチメディア対応可能で、装飾性に優れたデジタルアクセサリを提供する。【解決手段】アクセサリ１００は、静止画および動画を表示するための表示パネル２０と、表示パネル２０の画像表示を制御するための制御部３１を備えた制御基板３０と、表示パネル２０および制御基板３０に電源を供給するための充電池６０と、アクセサリ部品と係合させるためのアクセサリ支持具４７０と、を有する。【選択図】図１
2015192834.tif 000002
【特許請求の範囲】
【請求項１】
静止画および動画を表示するための表示パネルと、
前記表示パネルの画像表示を制御するための制御部を備えた制御基板と、
前記表示パネルおよび前記制御基板に電源を供給するための充電池と、
アクセサリ部品と係合させるためのアクセサリ支持具と、
を有することを特徴とするアクセサリ。
【請求項２】
前記制御基板は、少なくとも、
各種処理を命令・制御するための制御部と、
処理プログラムやドライバが記録されたＲＯＭと、
データの書き込みおよび読み取りが可能なＲＡＭと、
前記充電池に充電を行うための充電回路と、
を有することを特徴とする請求項１に記載のアクセサリ。
【請求項３】
前記制御基板はＵＳＢ端子を有し、該ＵＳＢ端子は前記ＲＡＭおよび前記充電回路と電気的に接続されていることを特徴とする請求項１または請求項２に記載のアクセサリ。
【請求項４】
前記制御基板は音声回路を有し、該音声回路は、音声を入力するためのマイクと、前記音声を出力するためのスピーカと、を有することを特徴とする請求項１から３のいずれか１項に記載のアクセサリ。
【請求項５】
前記制御基板は通信入力部を有し、通信入力部は、携帯端末と通信を行う近距離無線通信部を備えていることを特徴とする請求項１から４のいずれか１項に記載のデジタルアクセサリ。
【請求項６】
前記制御基板は加速度センサを有し、該加速度センサの検出した加速度に基づいて、前記制御部は、電源の自動オフ、前記表示パネルに表示する画像を変更することを特徴とする請求項１から５のいずれか１項に記載のアクセサリ。
【請求項７】
前記制御基板に備えられた機能を操作する操作部を備えていることを特徴とする請求項１から６のいずれか１項に記載のアクセサリ。
【請求項８】
前記表示パネルの前面にタッチパネルを配し、該タッチパネルで前記制御基板の機能を操作することを特徴とする請求項１から７のいずれか１項に記載のアクセサリ。
【請求項９】
表示パネルの前面にバックライトが透過する反射板を配置したことを特徴とする請求項１から８のいずれか１項に記載のアクセサリ。
【請求項１０】
前記表示パネルの周囲のフレーム上に装飾材を配置したことを特徴とする請求項１から９のいずれか１項に記載のアクセサリ。
【請求項１１】
前記表示パネルの周囲のフレーム上に光電変換セルを配置し、該光電変換セルは前記充電回路と電気的に接続されていることを特徴とする請求項１から９のいずれか１項に記載のアクセサリ。
【請求項１２】
前記表示パネル、前記制御基板および前記充電池は筐体内に収納され、該筐体の接続部および開口部には、日常生活防水処理が施されていることを特徴とする請求項１から１１のいずれか１項に記載のアクセサリ。
【請求項１３】
前記アクセサリ支持具には、ペンダント用吊り具が取り付けられ、ペンダントヘッドとして構成されていることを特徴とする請求項１から１１のいずれか１項に記載のアクセサリ。
【請求項１４】
前記アクセサリ支持具には、イヤリング用保持金具が取り付けられ、イヤリングとして構成されていることを特徴とする請求項１から１１のいずれか１項に記載のアクセサリ。
【請求項１５】
アクセサリ本体がリングに取り付けられ、指輪として構成されていることを特徴とする請求項１から１１のいずれか１項に記載のアクセサリ。
【請求項１６】
前記表示パネルおよび前記制御基板がフレキシブルな材料で形成し、該表示パネルおよび前記制御基板をリング状に成形したことを特徴とする請求項１から１１のいずれか１項に記載のアクセサリ。
【発明の詳細な説明】
【技術分野】
【０００１】
本発明は、静止画および動画を表示する表示パネルを備えたアクセサリに関する。
【背景技術】
【０００２】
液晶パネル等の表示パネルは、今日の家電製品に広く用いられている。液晶パネル等の表示パネルを用いた簡単な画像表示装置としては、デジタル・フォトフレームが知られている。
【０００３】
従来、液晶パネル等の表示パネル（画像表示部）は、比較的大型であったため、当該表示パネルをアクセサリとして用いるという発想は、極めて稀であった。画像表示部を備えたアクセサリに関する技術としては、例えば、白黒、又はカラーの表示ができる液晶表示部と、その電源としての太陽電池、液晶表示制御部、およびアクセサリ基体からなる表示アクセサリが開示されている（特許文献１参照）。
【先行技術文献】
【特許文献】
【０００４】
【特許文献１】登録実用新案第３０４６３６７号公報
【発明の概要】
【発明が解決しようとする課題】
【０００５】
ところで、特許文献１の表示アクセサリは、太陽電池を電源として、液晶表示部に表示を行う。アクセサリに配した太陽電池セル程度では、動画を再生するには電気容量が小さ過ぎる。したがって、特許文献１の表示アクセサリは、イニシャル等の単純な静止画像を表示することを企図しており、動画を表示することは考慮されていないと考えられる。
また、特許文献１の表示アクセサリは、画像表示のみを対象としており、音声の入出力やスマートフォン等の携帯端末との連携などはできない。
【０００６】
本発明はかかる事情に鑑みてなされたものであり、その目的は、静止画のみならず、動画も表示でき、マルチメディア対応可能で、装飾性に優れたアクセサリを提供することである。
【課題を解決するための手段】
【０００７】
上記課題を解決するために、本発明に係るデジタルアクセサリは、静止画および動画を表示するための表示パネルと、前記表示パネルの画像表示を制御するための制御基板と、前記表示パネルおよび前記制御基板に電源を供給するための充電池と、アクセサリ部品と係合させるためのアクセサリ支持具と、を有することを特徴とする。
【０００８】
好適には、前記制御基板は、少なくとも、各種処理を命令・制御するための制御部と、
処理プログラムやドライバが記録されたＲＯＭと、データの書き込みおよび読み取りが可能なＲＡＭと、前記充電池に充電を行うための充電回路と、を有することを特徴とする。
【０００９】
好適には、前記制御基板はＵＳＢ端子を有し、該ＵＳＢ端子は前記ＲＡＭおよび前記充電回路と電気的に接続されていることを特徴とする。
【００１０】
好適には、前記制御基板は音声回路を有し、該音声回路は、音声を入力するためのマイクと、前記音声を出力するためのスピーカと、を有することを特徴とする。
【００１１】
好適には、前記制御基板は通信入力部を有し、通信入力部は、携帯端末と通信を行う近距離無線通信部を備えていることを特徴とする。
【００１２】
好適には、前記制御基板は加速度センサを有し、該加速度センサの検出した加速度に基づいて、前記制御部は、電源の自動オフ、前記表示パネルに表示する画像を変更することを特徴とする。
【００１３】
好適には、前記制御基板に備えられた機能を操作する操作部を備えていることを特徴とする。
【００１４】
好適には、前記表示パネルの前面にタッチパネルを配し、該タッチパネルで前記制御基板の機能を操作することを特徴とする。
【００１５】
好適には、表示パネルの前面にバックライトが透過する反射板を配置したことを特徴とする。
【００１６】
好適には、前記表示パネルの周囲のフレーム上に装飾材を配置したことを特徴とする。
【００１７】
好適には、前記表示パネルの周囲のフレーム上に光電変換セルを配置し、該光電変換セルは前記充電回路と電気的に接続されていることを特徴とする。
【００１８】
好適には、前記表示パネル、前記制御基板および前記充電池は筐体内に収納され、該筐体の接続部および開口部には、日常生活防水処理が施されていることを特徴とする。
【００１９】
好適には、前記アクセサリ支持具には、ペンダント用吊り具が取り付けられ、ペンダントヘッドとして構成されていることを特徴とする。
【００２０】
好適には、前記アクセサリ支持具には、イヤリング用保持金具が取り付けられ、イヤリングとして構成されていることを特徴とする。
【００２１】
好適には、アクセサリ本体がリングに取り付けられ、指輪として構成されていることを特徴とする。
【００２２】
好適には、前記表示パネルおよび前記制御基板がフレキシブルな材料で形成し、該表示パネルおよび前記制御基板をリング状に成形したことを特徴とする。
【発明の効果】
【００２３】
本発明に係るアクセサリは、静止画および動画を表示するための表示パネルと、表示パネルの画像表示を制御するための制御部を備えた制御基板と、表示パネルおよび制御基板に電源を供給するための充電池と、アクセサリ部品と係合させるためのアクセサリ支持具と、を有する。したがって、本発明に係るアクセサリによれば、表示パネルに静止画のみならず、動画も表示できる。静止画および動画表示は、装飾としても機能するので、装飾性に優れている。制御基板に種々の回路を組み込むことにより、マルチメディア対応も可能である。
【図面の簡単な説明】
【００２４】
【図１】本実施形態に係るアクセサリの本体の模式図である。
【図２】本実施形態に係るアクセサリの内部構造のブロック図である。
【図３】本実施形態に係るアクセサリをペンダットヘッドとして使用する場合の概念図である。
【図４】本実施形態に係るアクセサリをイヤリングとして使用する場合の概念図である
【発明を実施するための形態】
【００２５】
以下、図面を参照して、本発明に係るアクセサリの一実施の形態について説明する。
〔アクセサリの構成〕
【００２６】
まず、図１および図４を参照して、本実施形態に係るアクセサリの構成について説明する。図１は本実施形態に係るアクセサリの本体の模式図である。図２は本実施形態に係るアクセサリの内部構造のブロック図である。図３は本実施形態に係るアクセサリをペンダットヘッドとして使用する場合の概念図である。図４は本実施形態に係るアクセサリをイヤリングとして使用する場合の概念図である
【００２７】
図１および図２に示すように、本実施形態に係るアクセサリ１００は、主な構成要素として、表示パネル２０、制御基板３０、充電池６０およびアクセサリ支持具７０を有する。
【００２８】
表示パネル２０は、静止画および動画を表示する機能を有する。表示パネル２０は、筐体１０の開口部１１に臨んで配置される。表示パネル２０の表示は、カラー表示もしくは白黒表示に限定されないが、アクセサリという観点から装飾性を考慮すると、カラー表示することが好ましい。
【００２９】
表示パネル２０としては、例えば、液晶表示パネル、有機ＥＬパネル、ＬＥＤパネルが挙げられる。表示パネル２０は、例示のパネルに限定されないが、アクセサリを構成するので、小型かつ軽量であり、省電力で駆動することが好ましい。液晶表示パネルを採用する場合は、白色ＥＬパネルや冷陰極管等のバックライトを備える必要がある。有機ＥＬパネルおよびＬＥＤパネルは自発光型パネルであるので、バックライトを要しない。また、電池切れのときや、電源オフ時にミラーとなるように表示パネル２０の前面にバックライトが透過する反射板を設けてもよい。
【００３０】
表示パネル２０は、フレーム１２を有していてもよいし、全面が表示部であってもよい。表示パネル２０の周囲にフレーム１２を有する場合には、後述のインバータ回路３２をフレーム１２部分に配置することができる（図２参照）。また、表示パネル２０は、可撓性を有するフレキシブルパネルとして構成してもよい。
【００３１】
図２に示すように、制御基板３０は、表示パネル２０の画像表示を駆動制御する機能等を有する。制御基板３０は、制御部３１、ＲＯＭ３２、ＲＡＭ３３、インバータ回路３４、充電回路３５およびＵＳＢ端子３６などを備えている。
【００３２】
制御部３１は、各種処理を命令・制御するための中央処理装置（ＣＰＵ）である。例えば、制御部３１は、ＲＯＭ３２に書き込まれたプログラムを読み出して、当該プログラムを実行する。
【００３３】
ＲＯＭ３２には、例えば、電源自動オフ・プログラム、表示パネル２０の駆動制御プログラム、表示パネル２０の自動画面オフ・プログラム、画像変更プログラム、動画再生プログラム、音声録音・再生プログラム、通信制御プログラム等の必要なプログラムやドライバが書き込まれている読み取り専用メモリである。
【００３４】
ＲＡＭ３３は、画像データなどのデータを保存・削除可能なメモリである。インバータ回路３４は、バックライトの点灯を安定化させるための回路である。
【００３５】
充電回路３５は、充電池４０に充電し、出力するための回路であり、整流回路や電圧制御回路、電流制御回路、出力回路を備えている。ＵＳＢ端子３６は、ＵＳＢケーブルを接続するための端子である。ＵＳＢ端子３６は、充電回路３５やＲＡＭ３２と電気的に接続されている。
【００３６】
また、制御基板３０は、音声回路３７を備えてもよい。音声回路３７は、音声を入力するためのマイク３８や、音声を出力するためのスピーカ３９と電気的に接続されている。音声回路３７によって、マイク３８やＵＳＢ端子３６を介して、音声データをＲＡＭ３３に保存することができる。また、ＲＡＭ３３に保存された音声データをスピーカ３９から再生することができる。
【００３７】
さらに、制御基板３０は、通信入力部４０を備えてもよい。通信入力部４０は、近距離無線通信部４１を備えている。近距離無線通信部４１は、スマートフォン等の携帯端末との間で、近距離無線通信を行うためのチップ回路である。本実施形態では、近距離無線通信方式として、例えば、Ｂｌｕｅｔｏｏｔｈ（登録商標）を用いるが、これに限定されず、Ｚｉｇｂｅｅ（登録商標）等の他の方式の無線ＰＡＮ（Personal Area Network）を採用してもよい。具体的には、近距離無線通信部４１として、ＣＳＲ（Cambridge Silicon Radio）社のＣＳＲ８６４５チップのＢｌｕｅｔｏｏｔｈ（登録商標）  ｖ４．０が用いられる。
【００３８】
そして、制御基板３０は、一定時間あたりの変化速度を検出するための加速度センサ５０を備えてもよい。制御部３１は、加速度センサ５０の検出した加速度に基づいて、電源の自動オフや、表示パネル２０に表示する画像を変更する。電源自動オフ・プログラムや画像変更プログラムは、上述したように、ＲＯＭ３２に書き込まれている。
【００３９】
また、制御基板３０には、筐体１０から露出させて、操作部（図示せず）を備えていてもよい。操作部は、例えば、電源オン／オフや、音声の録音・再生等の制御基板３０の機能を操作する。当該操作部は、制御基板３０の制御部３１や音声回路３７等と電気的に接続されている。さらに、表示パネル２０の前面にタッチパネルを配し、当該タッチパネルで制御基板３０の機能を操作するように構成してもよい。
【００４０】
充電池６０は、表示パネル２０および制御基板３０等に電源を供給する。充電池６０としては、リチウムイオン充電池やニッケル水素充電池などが挙げられる。電池容量としては、軽量化を図るため、表示パネル２０の表示が３〜４時間程度可能な容量であればよい。
【００４１】
表示パネル２０、制御基板３０および充電池６０は、例えば、合成樹脂等によって形成された筐体１０内に収容されている。筐体１０は厚さの薄い箱体状を呈しており、前面（表面）に開口部１１を有する。筐体１０の開口部１１には、表示パネル２０の表示面が配置されている。筐体１０の開口部１１は、当該表示パネル２０の表示を視認可能なように、透光性強化ガラスや透光性樹脂等の板材もしくはフィルム材で封止されている。本実施形態に係るアクセサリ１００は、ＵＳＢ端子３６やマイク３８、スピーカ３９等の開口部および接続部に日常生活防水処理が施されている。
【００４２】
アクセサリ支持具７０は、当該アクセサリ１００の本体をアクセサリ部品と係合させるための取付具である。本実施形態のアクセサリ支持具７０は、円弧状を呈しており、筐体１０の長手方向の一端の中央部に取り付けられている。アクセサリ支持具７０の形状は、円弧状に限定されず、リング状や菱形等の矩形状でもよい。
【００４３】
図３に示すように、例えば、本実施形態に係るアクセサリ１００をペンダントヘッドとして構成する場合は、アクセサリ支持具７０にチェーンや皮紐等の吊り具７１を取り付ける。また、図４に示すように、本実施形態に係るアクセサリ１００をイヤリングとして構成する場合は、アクセサリ支持具７０にイヤリング用の保持金具７２を取り付ける。さらに、本実施形態に係るアクセサリ１００を指輪として構成する場合は、不図示のリングに本実施形態に係るアクセサリ１００を取り付けてもよい。あるいは、表示パネル２０および制御基板３０をフレキシブルな材料で構成し、当該表示パネル２０および制御基板３０をリング状に形成しても構わない。チェーン等の吊り具７１や、イヤリング用の保持金具７２は、白金や金、銀等の貴金属に限られず、合成樹脂等の他の部材で形成しても構わない。
【００４４】
また、本実施形態のアクセサリ１００の装飾性を高めるため、表示パネル２０の周囲のフレーム１２上に、スワロフスキーや宝石等の装飾材を配置して装飾を施してもよい。さらに、表示パネル２０のフレーム１２上に、装飾材として不図示の光電変換セルを配置し、当該光電変換セルを充電回路３５に接続してもよい。
〔アクセサリの作用〕
【００４５】
次に、図１から図４を参照して、本実施形態のアクセサリ１００の作用について説明する。図１および図２に示すように、本実施形態のデジタルアクセサリ１は、液晶表示パネル、有機ＥＬパネル、ＬＥＤパネル等の表示パネル２０を備えている。表示パネル２０には、静止画や動画が表示される。表示パネル２０は、アクセサリであることを考慮すると、カラー表示することが好ましい。
【００４６】
表示パネル２０に表示する静止画としては、例えば、モザイク画像、ペイズリ画像、花の画像、宝石の画像、およびペットの写真などが挙げられる。一定の設定時間ごとに、表示パネル２０に表示する画像を変更してもよい。さらに、例えば、一定の操作で、恋人の写真を表示するように構成した場合は、ロケットペンダントの機能をもたせることができる。
【００４７】
本実施形態に係るアクセサリ１００は、表示パネル２０および制御基板３０に電源を供給するための充電池６０を備えているので、動画再生も行うことができる。アクセサリの性質上、充電池６０も小型化せざるをえないので、３〜４時間程度の動画再生ができれば十分である。例えば、愛するペットの動画をＲＡＭ３３に保存しておき、再生することも可能である。
【００４８】
制御装置３０は充電回路３５を備えており、当該充電回路３５は、ＵＳＢ端子３６と電気的に接続されている。充電池６０への充電は、ＵＳＢ端子３６にＵＳＢケーブルを接続することにより、充電回路３５を介して行うことができる。
【００４９】
充電池６０の残量が少なくなると、表示パネル２０に表示される画像を設定しておいてもよい。また、表示パネル２０の前面にバックライトが透過する反射板を設けた場合には、電池切れのときや、電源オフ時にバックライトが透過しないので、反射板に顔などが映り、表示パネル２０をミラーとして使用することができる。
【００５０】
省電力化を図るため、設定時間が経過すると、自動画面オフもしくは自動電源オフするように構成してもよい。また、制御基板３０には、加速度センサ５０を備えている。制御部３１は、加速度センサ５０の検出した加速度に基づいて、電源の自動オフや、表示パネル２０に表示する画像を変更する。
【００５１】
制御基板３０は、ＲＡＭ３３を備えているので、画像データや音声データを保存することができる。画像データや音声データの保存・削除は、ＵＳＢ端子３６にＵＳＢケーブルの一方の端子を接続し、他方の端子をスマートフォン等の携帯端末やＰＣに接続して、行うことができる。同期ソフトは、携帯端末もしくはＰＣにインストールする。
【００５２】
あるいは、制御基板３０は、通信入力部４０を備えている。通信入力部４０は、例えば、Ｂｌｕｅｔｏｏｔｈ（登録商標）等の近距離無線通信部４１を備えている。したがって、スマートフォン等の携帯端末との間で近距離無線通信を行い、ＲＡＭ３３のデータの保存・削除をすることもできる。また、スマートフォンアプリを作成し、当該スマートフォンアプリによって、本実施形態に係るアクセサリ１００の設定やコントロールを行うように構成してもよい。
【００５３】
本実施形態に係るアクセサリ１００は、例えば、ＲＯＭ３２に占いプログラムをインストールしたり、スマートフォンと連携させることにより、表示パネル２０に占いを表示するように構成してもよい。生年月日を入力すると、その日のラッキーカラーやラッキー模様等の画像が自動的に表示されるように構成してもよい。時間帯によって、自動で画像が変更されるようにしてもよい。
【００５４】
また、制御基板３０は、音声回路３７を備えており、当該音声回路３７には、マイク３８およびスピーカ３９が電気的に接続されている。したがって、音声メモとして、音声の録音・再生を行うことができる。
【００５５】
本実施形態に係るアクセサリ１００が、制御基板３０に備えられた機能を操作する操作部を備えている場合には、当該操作部により、電源のオン／オフや音声の録音・再生等の操作を行うことができる。また、表示パネル２０の前面にタッチパネルを配している場合には、当該タッチパネルを指やタッチペンでタッチして制御基板３０の機能を操作することができる。
【００５６】
表示パネル２０の周囲のフレーム１２上にスワロフスキーや宝石等の装飾材を配置して、本実施形態に係るアクセサリ１００の装飾性を向上させることができる。また、表示パネル２０の周囲のフレーム１２上に光電変換セルを配置し、当該光電変換セルを充電回路３５と電気的に接続した場合には、太陽光発電により充電池６０に電力を充電することができる。太陽光発電であっても、一旦、充電池６０に充電するので、動画再生を行うことができる。
【００５７】
表示パネル２０、制御基板３０および充電池６０は筐体１０内に収納され、当該筐体１０の接続部および開口部には、日常生活防水処理が施されている。したがって、本実施形態に係るアクセサリ１００を付けたままで、洗面や家事等を行うことができる。
【００５８】
本実施形態に係るアクセサリ１００をペンダントヘッドとして構成する場合には、図３に示すように、アクセサリ支持具７０にチェーン等のペンダント用吊り具７１を取り付ける。また、本実施形態に係るアクセサリ１００をイヤリングとして構成する場合には、図４に示すように、アクセサリ支持具７０にイヤリング用保持金具７２を取り付ける。
【００５９】
さらに、本実施形態に係るアクセサリ１００を指輪として構成する場合には、当該アクセサリ１００の本体（筐体１０）を不図示のリングに取り付ける。あるいは、表示パネル２０および制御基板３０をフレキシブルな材料で形成し、当該表示パネル２０および制御基板３０をリング状に成形してもよい。
【００６０】
以上説明したように、本実施形態に係るアクセサリ１００は、静止画および動画を表示するための表示パネル２０と、表示パネル２０の画像表示を制御するための制御部３１を備えた制御基板３０と、表示パネル２０および制御基板３０に電源を供給するための充電池６０と、アクセサリ部品と係合するためのアクセサリ支持具７０と、を有する。したがって、本実施形態に係るアクセサリ１００によれば、表示パネル２０に静止画のみならず、動画も表示できる。静止画および動画表示は、装飾としても機能するので、装飾性に優れている。制御基板３０に音声回路３７や通信入力部４０等の種々の回路を組み込むことにより、マルチメディア対応も可能である。
【符号の説明】
【００６１】
１０    筐体
２０    表示パネル
３０    制御基板
３１    制御部
６０    充電池
７０    アクセサリ支持具
３２    ＲＯＭ
３３    ＲＡＭ
３５    充電回路
３６    ＵＳＢ端子
３７    音声回路
３８    マイク
３９    スピーカ
４０    通信入力部
４１    近距離無線通信部
５０    加速度センサ
６０    充電池
７０    アクセサリ支持具
７１    ペンダント用吊り具
７２    イヤリング用保持金具
１００    アクセサリ
【図１】
2015192834.tif 000003
【図２】
2015192834.tif 000004
【図３】
2015192834.tif 000005
【図４】
2015192834.tif 000006